(57)【要約】【課題】各種電子機器に使用される開閉装置に関し、確実な操作が可能で、薄型化を図ったものを提供することを目的とする。【解決手段】ばね１３の中間の巻回部を上巻回部１３Ａと下巻回部１３Ｂ、及びこれらより小さな径で内周に連結された中巻回部１３Ｃから形成すると共に、このばね１３の上下巻回部から延出した上アーム部１３Ｄと下アーム部１３Ｅの両端を、可動体２及び固定体１に係止することによって、複数の巻回部によりばねの所定の付勢力が得られると共に、中巻回部１３Ｃの分だけ全体の厚さを低くできるため、確実な操作が可能で、薄型化を図った開閉装置を得ることができる。【選択図】図１
2007201667.tif 000002
【特許請求の範囲】
【請求項１】
略板状の固定体と、この固定体上面に所定方向へ移動可能に装着された可動体と、中間の巻回部から延出した上下アーム部の両端が、上記可動体及び固定体に係止されたばねからなり、上記ばねの巻回部を上下アーム部に連結された上下巻回部と、これらより小さな径で内周に連結された中巻回部から形成した開閉装置。
【発明の詳細な説明】
【技術分野】
【０００１】
本発明は、携帯電話やパーソナルコンピュータ等の各種電子機器に使用される開閉装置に関するものである。
【背景技術】
【０００２】
近年、携帯電話やパーソナルコンピュータ等の電子機器の多様化や高機能化が進むなか、固定筐体に対し可動筐体を開閉させて、様々な操作を行うものが増えており、これらに用いられる開閉装置においても、確実な操作が可能で、小型・薄型化を図ったものが求められている。
【０００３】
このような従来の開閉装置を用いた電子機器について、主に携帯電話を例に、図４〜図７を用いて説明する。
【０００４】
図５は従来の開閉装置の断面図、図６は同分解斜視図、図７は同ばねの斜視図であり、同図において、１は両端が折曲された略板状の固定体、２は同じく可動体で、可動体２が固定体１上面に左右方向へ移動可能に装着されている。
【０００５】
また、３は線状のばねで、中間には螺旋状に巻回された同じ径の複数の巻回部３Ａが重ねて形成されると共に、この上下端から延出した上アーム部３Ｂと下アーム部３Ｃ先端には、係止部３Ｄと３Ｅが設けられている。
【０００６】
そして、４Ａと４Ｂはかしめ等によって可動体２と固定体１に固着された複数のピンで、対称に配置されやや撓んだ状態の一対のばね３が、このピン４Ａと４Ｂによって両端の係止部３Ｄと３Ｅを各々係止され、固定体１に対して可動体２を左または右方向へ付勢して、開閉装置５が構成されている。
【０００７】
また、このように構成された開閉装置５は、例えば、図４の携帯電話の斜視図に示すように、固定体１が上面に複数のキーからなる操作部２２Ａやマイクロフォン等の音声入力部２２Ｂが形成された固定筐体２２へ、可動体２が上面に液晶表示素子等の表示部２３Ａやスピーカ等の音声出力部２３Ｂが形成された可動筐体２３へ各々装着され、開閉装置５によって固定筐体２２に対して可動筐体２３が左右方向へ移動可能に保持されて電子機器が構成される。
【０００８】
以上の構成において、図４や図５に示すように、一対のばね３によって固定体１に対して可動体２が右方向へ付勢された状態では、可動体２が装着された可動筐体２３が固定筐体２２に対して右方向へ付勢され、音声入力部２２Ｂや音声出力部２３Ｂが露出し通話等が可能な、可動筐体２３が開いた状態で保持されている。
【０００９】
そして、この開状態から、可動筐体２３を手で左方向へ摺動すると、この操作に伴って可動筐体２３に装着された可動体２が左方向へ移動し、ピン４Ａによって可動体２に係止された係止部３Ｄが、ピン４Ｂによって固定体１に係止された係止部３Ｅを超える位置になると、一対のばね３が反転して可動体２が左方向へ付勢され、可動筐体２３が固定筐体２２上に重なった状態、即ち閉じた状態で保持される。
【００１０】
つまり、可動筐体２３に装着された可動体２を手で左または右方向へ移動させ、ばね３の力によって可動体２を左または右方向へ付勢することで、固定筐体２２に対する可動筐体２３の開閉操作が行われるように構成されている。
【００１１】
なお、このような開閉装置５に用いるばねは、上記のような中間が複数回重ねて巻回されたばね３の他、中間が略Ｕ字状に折曲されたものも使用が可能であるが、手で開閉操作を行う際に重過ぎず、かつ、固定体１に対して可動体２を左または右方向へ移動した状態を確実に保持するためには、ばね３に所定の付勢力が必要となる。
【００１２】
また、携帯電話等の比較的小さな機器に用いられるため、全体の形状をあまり大きくすることも困難なことから、上記のような所定の付勢力が得易い、中間に同じ径の複数の巻回部３Ａが重ねて形成されたばね３が一般に用いられているものであった。
【００１３】
なお、この出願の発明に関連する先行技術文献情報としては、例えば、特許文献１が知られている。
【特許文献１】特開２００３−１１０６７５号公報
【発明の開示】
【発明が解決しようとする課題】
【００１４】
しかしながら、上記従来の開閉装置においては、中間に同じ径の複数の巻回部３Ａが重ねて形成されたばね３を用いているため、ばね３に巻回数分の高さが必要となり、全体の高さが厚いものとなって、小型・薄型化を図ることが困難であるという課題があった。
【００１５】
本発明は、このような従来の課題を解決するものであり、確実な操作が行え、薄型化が可能な開閉装置を提供することを目的とする。
【課題を解決するための手段】
【００１６】
上記目的を達成するために本発明は、ばねの中間の巻回部を上下アーム部に連結された上下巻回部と、これらより小さな径で内周に連結された中巻回部から形成すると共に、このばねの上下巻回部から延出した上下アーム部の両端を、可動体及び固定体に係止して開閉装置を構成したものであり、上下巻回部と中巻回部によってばねの所定の付勢力が得られると共に、中巻回部が上下巻回部の内周に連結され、中巻回部の分だけ全体の厚さを低くできるため、確実な操作が可能で、薄型化を図った開閉装置を得ることができるという作用を有する。
【発明の効果】
【００１７】
以上のように本発明によれば、確実な操作が可能で、薄型化を図った開閉装置を実現することができるという有利な効果が得られる。
【発明を実施するための最良の形態】
【００１８】
以下、本発明の実施の形態について、図１〜図４を用いて説明する。
【００１９】
なお、背景技術の項で説明した構成と同一構成の部分には同一符号を付して、詳細な説明を簡略化する。
【００２０】
（実施の形態）
図１は本発明の一実施の形態による開閉装置の断面図、図２は同分解斜視図、図３は同ばねの斜視図であり、同図において、１は両端が折曲された鋼や銅合金等の金属製で略板状の固定体、２は同じく可動体で、可動体２が固定体１上面に左右方向へ移動可能に装着されている。
【００２１】
また、１３は線状で鋼線や銅合金線等のばねで、中間には上巻回部１３Ａと下巻回部１３Ｂが形成されると共に、上巻回部１３Ａや下巻回部１３Ｂより小さな径で内周に連結された複数の中巻回部１３Ｃが、螺旋状に巻回されて形成されている。
【００２２】
そして、このばね１３の上巻回部１３Ａと下巻回部１３Ｂ端から延出した上アーム部１３Ｄと下アーム部１３Ｅ先端には、係止部１３Ｆと１３Ｇが設けられている。
【００２３】
さらに、４Ａと４Ｂはかしめ等によって可動体２と固定体１に固着された複数のピンで、対称に配置されやや撓んだ状態の一対のばね１３が、このピン４Ａと４Ｂによって両端の係止部１３Ｆと１３Ｇを各々係止され、固定体１に対して可動体２を左または右方向へ付勢して、開閉装置１５が構成されている。
【００２４】
つまり、上巻回部１３Ａと下巻回部１３Ｂに連結された複数の中巻回部１３Ｃを、上巻回部１３Ａや下巻回部１３Ｂより小さな径とし、これらの内周に連結することで、同じ径の複数の巻回部を重ねて形成したものに比べ、中巻回部１３Ｃの分だけばね１３の高さを低くし、開閉装置１５全体が薄型化された構成となっている。
【００２５】
また、上巻回部１３Ａと下巻回部１３Ｂに複数の中巻回部１３Ｃを連結し、中間に螺旋状の複数の巻回部を設けることで、これらの巻回数や径を調整し、ばね１３の所定の付勢力が得られ易いようになっている。
【００２６】
そして、このように構成された開閉装置１５は、例えば、図４の携帯電話の斜視図に示すように、固定体１が上面に複数のキーからなる操作部２２Ａやマイクロフォン等の音声入力部２２Ｂが形成された固定筐体２２へ、可動体２が上面に液晶表示素子等の表示部２３Ａやスピーカ等の音声出力部２３Ｂが形成された可動筐体２３へ各々装着され、開閉装置１５によって固定筐体２２に対して可動筐体２３が左右方向へ移動可能に保持されて電子機器が構成される。
【００２７】
以上の構成において、図１や図４に示すように、一対のばね１３によって固定体１に対して可動体２が右方向へ付勢された状態では、可動体２が装着された可動筐体２３が固定筐体２２に対して右方向へ付勢され、音声入力部２２Ｂや音声出力部２３Ｂが露出し通話等が可能な、可動筐体２３が開いた状態で保持されている。
【００２８】
そして、この開状態から、可動筐体２３を手で左方向へ摺動すると、この操作に伴って可動筐体２３に装着された可動体２が左方向へ移動し、ピン４Ａによって可動体２に係止された係止部１３Ｆが、ピン４Ｂによって固定体１に係止された係止部１３Ｇを超える位置になると、一対のばね１３が反転して可動体２が左方向へ付勢され、可動筐体２３が固定筐体２２上に重なった状態、即ち閉じた状態で保持される。
【００２９】
つまり、可動筐体２３に装着された可動体２を手で左または右方向へ移動させ、ばね１３の力によって可動体２を左または右方向へ付勢することで、固定筐体２２に対する可動筐体２３の開閉操作が行われるように構成されている。
【００３０】
そして、この開閉操作時、可動体２を左または右方向へ付勢するばね１３が、上巻回部１３Ａと下巻回部１３Ｂに、複数の中巻回部１３Ｃを螺旋状に連結して形成されているため、これらの巻回数や径を調整することで、ばね１３の所定の付勢力が得られ、可動体２の左または右方向へ移動や保持が確実に行えるようになっている。
【００３１】
さらに、複数の中巻回部１３Ｃが上巻回部１３Ａと下巻回部１３Ｂの内周に連結されているため、中巻回部１３Ｃの分だけばね１３の高さを低くし、開閉装置１５全体の薄型化を図ることが可能な構成となっている。
【００３２】
このように本実施の形態によれば、ばね１３の中間の巻回部を上巻回部１３Ａと下巻回部１３Ｂ、及びこれらより小さな径で内周に連結された中巻回部１３Ｃから形成すると共に、このばね１３の上下巻回部から延出した上アーム部１３Ｄと下アーム部１３Ｅの両端を、可動体２及び固定体１に係止することによって、複数の巻回部によりばねの所定の付勢力が得られると共に、中巻回部１３Ｃの分だけ全体の厚さを低くできるため、確実な操作が可能で、薄型化を図った開閉装置を得ることができるものである。
【産業上の利用可能性】
【００３３】
本発明による開閉装置は、確実な操作が可能で、薄型化を図ったものを得ることができ、各種電子機器の開閉装置として有用である。
【図面の簡単な説明】
【００３４】
【図１】本発明の一実施の形態による開閉装置の断面図
【図２】同分解斜視図
【図３】同ばねの斜視図
【図４】同携帯電話の斜視図
【図５】従来の開閉装置の断面図
【図６】同分解斜視図
【図７】同ばねの斜視図
【符号の説明】
【００３５】
１  固定体
２  可動体
４Ａ、４Ｂ  ピン
１３  ばね
１３Ａ  上巻回部
１３Ｂ  下巻回部
１３Ｃ  中巻回部
１３Ｄ  上アーム部
１３Ｅ  下アーム部
１３Ｆ、１３Ｇ  係止部
１５  開閉装置
２２  固定筐体
２２Ａ  操作部
２２Ｂ  音声入力部
２３  可動筐体
２３Ａ  表示部
２３Ｂ  音声出力部
【図１】
2007201667.tif 000003
【図２】
2007201667.tif 000004
【図３】
2007201667.tif 000005
【図４】
2007201667.tif 000006
【図５】
2007201667.tif 000007
【図６】
2007201667.tif 000008
【図７】
2007201667.tif 000009